(57)【特許請求の範囲】
【請求項１】
突堤形状になっている構造物躯体の先端面にカバーが被せられ、このカバーは、前記構造物躯体の上面全部を覆う本体部と、この本体部の端部から下方へ延び、前記構造物躯体の側面と隙間を開けて対面する側面部と、この側面部の端部から前記構造物躯体側に屈曲した屈曲部とからなり、
前記隙間に塞ぎ材が配置され、この塞ぎ材は、塞ぎ材本体と、この塞ぎ材本体の下端から垂設された垂下部材とからなり、前記塞ぎ材本体は、前記構造物躯体の前記側面に固定された取付部と、この取付部の下端から前記カバーの前記側面部側へ延びる延出部とからなり、この延出部の先端に可撓性弾性材料からなる前記垂下部材が垂設されており、
前記垂下部材の下端と前記カバーの前記屈曲部との間には間隔があいているとともに、前記延出部の先端と前記垂下部材の位置は、前記カバーの前記側面部との間に通気部を残した位置となっており、
前記垂下部材は、前記構造物躯体の前記側面に沿って吹き上がる強風で上端を中心に前記カバーの前記側面部側へ回動してこの側面部の内面に接触することを特徴とする構造物躯体カバーの隙間塞ぎ構造。
【請求項２】
突堤形状になっている構造物躯体の先端面にカバーが被せられ、このカバーは、前記構造物躯体の上面全部を覆う本体部と、この本体部の端部から下方へ延び、前記構造物躯体の側面と隙間を開けて対面する側面部と、この側面部の端部から前記構造物躯体側に屈曲した屈曲部とからなり、
前記隙間に塞ぎ材が配置され、この塞ぎ材は、前記構造物躯体の前記側面に固定された取付部と、この取付部の下端から前記カバーの前記側面部側へ延びる延出部とからなり、この延出部の先端の位置は、前記カバーの前記側面部との間に通気部を残した位置となっているとともに、前記延出部は、前記カバーの前記屈曲部に対し、上方に僅かに離間していてこの構造物躯体の厚さ方向には重複しており、
前記屈曲部の高さ位置における前記隙間から前記通気部に至る通気路が前記構造物躯体の厚さ方向に蛇行していることを特徴とする構造物躯体カバーの隙間塞ぎ構造。
【請求項３】
請求項１又は２に記載の構造物躯体カバーの隙間塞ぎ構造において、前記取付部は、前記構造物躯体の前記側面にシール部材を介して固定されていることを特徴とする構造物躯体カバーの隙間塞ぎ構造。
【請求項４】
請求項１〜３のいずれかに記載の構造物躯体カバーの隙間塞ぎ構造において、前記構造物躯体の前記先端面には、前記カバーを前記構造物躯体に取り付けるためのブラケットが配置され、このブラケットは、前記構造物躯体の前記先端面に固定され、前記構造物躯体の厚さ方向長さがこの構造物躯体の厚さ寸法よりも大きくなっている本体部と、この本体部における前記構造物躯体の前記側面から突出している端部に形成された上方延出部及び下方延出部とを有し、前記カバーの前記本体部が前記ブラケットの前記上方延出部に載せられ、前記カバーの前記屈曲部が前記ブラケットの前記下方延出部の下端に係止されていることを特徴とする構造物躯体カバーの隙間塞ぎ構造。
【請求項５】
請求項１〜４のいずれかに記載の構造物躯体カバーの隙間塞ぎ構造において、前記構造物躯体は木質製であることを特徴とする構造物躯体カバーの隙間塞ぎ構造。
【発明の詳細な説明】
【０００１】
【発明の属する技術分野】
本発明は、構造物躯体に被せられるカバーとその構造物躯体との間にできる隙間を塞ぐための塞ぎ構造及びその塞ぎ構造に使用する塞ぎ材に係り、例えば、建物の手摺り壁や腰壁、パラペット、さらには建物基礎、塀等のカバーが被せられる構造物躯体に利用できるものである。
【０００２】
【背景技術】
集合住宅等の建物に突堤形状で形成されるバルコニ用手摺り壁の上面には、構造物躯体になっているこの手摺り壁の上面カバーとしての笠木が被せられ、この笠木は、手摺り壁の側面と対面する側面部を有している。笠木は手摺り壁の上面に固定されたブラケットを介して手摺り壁に取り付けられ、このブラケットの長さは手摺り壁の厚さ寸法よりも大きく、したがってブラケットは手摺り壁のバルコニ内外方向の両方の側面から突出する長さとなっている。このため、このようなブラケットを使用して手摺り壁に笠木を取り付けると、笠木の側面部と手摺り壁の側面との間に隙間ができる。
【０００３】
このような隙間が笠木の側面部と手摺り壁の側面との間に生じていても、通常の雨天時の雨水は笠木の上面部から側面部に沿って流れ、そのまま滴下するため、雨水が笠木の内側に入ってブラケットの上面に乗ったり手摺り壁の内部に侵入したりすることはない。このため、手摺り壁の通常時の防水性はこの笠木で充分である。
【０００４】
【発明が解決しようとする課題】
しかし、台風等の暴風を伴う雨天時には雨水が手摺り壁の側面に沿って吹き上がることがある。このような場合には、笠木の側面部と手摺り壁の側面との間の隙間が下向きに開口していても、この隙間から雨水が笠木の内側に侵入することが考えられる。このため、このような場合にも手摺り壁の防水性を確保できる構造が望まれ、このような高度の防水性は、手摺り壁が木質製である場合に特にその必要性が高まる。
【０００５】
一方、笠木の内側へ雨水が侵入するのを防止するためには、上記隙間にシール剤を充填して完全に塞げばよい。しかし、これによると、笠木内側の通気性が損なわれてしまうことになり、手摺り壁等の耐久性に影響が生じ、好ましくない。
【０００６】
本発明の目的は、笠木等のカバーと、このカバーが被せられる手摺り壁等の構造物躯体との間の隙間を通気性を確保して塞ぐことができ、この隙間に求められる防水性と通気性の両方を満足する構造物躯体カバーの隙間塞ぎ構造及びその塞ぎ材を提供するところにある。
【０００７】
【課題を解決するための手段】
本発明に係る構造物躯体カバーの隙間塞ぎ構造は、突堤形状になっている構造物躯体の先端面にカバーが被せられ、このカバーの側面部が前記構造物躯体の側面と隙間を開けて対面しているとともに、この隙間に塞ぎ材が、前記カバーの側面部と前記構造物躯体の側面とのうちの少なくとも一方との間に通気部を残して配置されていることを特徴とするものである。
【０００８】
この構造物躯体カバーの隙間塞ぎ構造によると、カバーの側面部と構造物躯体の側面との間にできる隙間は塞ぎ材で塞がれるため、防水性を確保できる。また、この塞ぎ材は隙間を完全に塞ぐものではなく、カバーの側面部と構造物躯体の側面とのうちの少なくとも一方との間に通気部を残すものとなっているため、隙間の通気性も確保できる。
【０００９】
この構造物躯体カバーの隙間塞ぎ構造において、塞ぎ材は通気性を有しないものでもよく、通気性を有するものでもよい。また、塞ぎ材はこれらの性質を有するそれぞれの部分からなるものでもよく、構造物躯体カバーの隙間塞ぎ構造においてこれらの性質を有する２種類の塞ぎ材を並設使用してもよい。
【００１０】
また、本発明に係る構造物躯体カバーの隙間塞ぎ構造は、突堤形状になっている構造物躯体の先端面にカバーが被せられ、このカバーの側面部が前記構造物躯体の側面と隙間を開けて対面しているとともに、この隙間に通気性を有する塞ぎ材が配置されていることを特徴とするものである。
【００１１】
この構造物躯体カバーの隙間塞ぎ構造によると、カバーの側面部と構造物躯体の側面との間にできる隙間に通気性を有する塞ぎ材が配置されるため、隙間の防水性は塞ぎ材の配置によって確保できるとともに、隙間の通気性は塞ぎ材自身の通気性によって確保できる。
【００１２】
この構造物躯体カバーの隙間塞ぎ構造において、塞ぎ材は、カバーの側面部と構造物躯体の側面との両方に対して通気部を残さないで上記隙間に配置されてもよく、カバーの側面部と構造物躯体の側面とのうちの少なくとも一方との間に通気部を残して上記隙間に配置されてもよい。
【００１３】
以上のそれぞれの構造物躯体カバーの隙間塞ぎ構造において、塞ぎ材が通気性を有するものとする場合には、その塞ぎ材は、例えば、発泡樹脂やスポンジ等による多孔質体によるでもよく、樹脂毛や動物毛等で形成された多毛質体、すなわちモヘヤ等によるものでもよい。
【００１４】
また、それぞれの構造物躯体カバーの隙間塞ぎ構造において、塞ぎ材がカバーの側面部との間に通気部を残してカバーの側面部と構造物躯体の側面との間の隙間に配置され、かつ、カバーの側面部の端部に構造物躯体側に屈曲した屈曲部が形成されている場合には、塞ぎ材を、この屈曲部に対し、突堤形状の構造物躯体の突出方向に離間していてこの構造物躯体の厚さ方向には重複しているものとしてもよい。
【００１５】
このようにすると、上記隙間の通気性が、塞ぎ材とカバーの側面部との間の通気部や、塞ぎ材と屈曲部との間の構造物躯体突出方向の間隔によって形成される通気路で確保されるととともに、この塞ぎ材と屈曲部は構造物躯体の厚さ方向に重複しているため、上記通気路を構造物躯体の厚さ方向に蛇行したものとさせることができる。
【００１６】
これによると、雨水のカバー内側への侵入をこの蛇行した通気路によって一層有効に阻止することができ、カバーと塞ぎ材による構造物躯体の防水性を高めることができる。
【００１７】
本発明に係る構造物躯体カバーの隙間塞ぎ材は、突堤形状になっている構造物躯体の先端面に被せられるカバーの側面部と前記構造物躯体の側面との間の隙間に、前記カバーの側面部と前記構造物躯体の側面とのうちの少なくとも一方との間に通気部を残して配置されることを特徴とするものである。
【００１８】
この構造物躯体カバーの隙間塞ぎ材によると、カバーの側面部と構造物躯体の側面との間の隙間に配置されるため、この隙間の防水性を確保できるとともに、この塞ぎ材の配置は、カバーの側面部と構造物躯体の側面とのうちの少なくとも一方との間に通気部を残して行われるため、上記隙間の通気性を確保できる。
【００１９】
この構造物躯体カバーの隙間塞ぎ材において、塞ぎ材自体は通気性を有していなくてもよく、有していてもよい。また、塞ぎ材はこれらの性質を有するそれぞれの部分からなるものでもよく、これらの性質を有する２種類の塞ぎ材を並設使用することにより構造物躯体とカバーとの間を防水性と通気性を確保して塞ぐようにしてもよい。
【００２０】
また、本発明に係る構造物躯体カバーの隙間塞ぎ材は、突堤形状になっている構造物躯体の先端面に被せられるカバーの側面部と前記構造物躯体の側面との間の隙間に配置され、かつ通気性を有していることを特徴とするものである。
【００２１】
この構造物躯体カバーの隙間塞ぎ材も、カバーの側面部と構造物躯体の側面との間の隙間に配置されるため、この隙間の防水性を確保できるとともに、この塞ぎ材はそれ自身で通気性を有しているため、この通気性により上記隙間の通気性を確保できることになる。
【００２２】
この構造物躯体カバーの隙間塞ぎ材において、塞ぎ材は、カバーの側面部と構造物躯体の側面との両方に対して通気部を残さないで上記隙間に配置されるものでもよく、カバーの側面部と構造物躯体の側面とのうちの少なくとも一方との間に通気部を残して上記隙間に配置されるものでもよい。
【００２３】
以上のそれぞれの構造物躯体カバーの隙間塞ぎ材において、塞ぎ材を通気性を有するものとする場合には、その塞ぎ材を、例えば、発泡樹脂やスポンジ等による多孔質体で形成されたものとしてよく、樹脂毛や動物毛等による多毛質体、すなわちモヘヤ等で形成されたものしてもよい。
【００２４】
また、それぞれの構造物躯体カバーの隙間塞ぎ材において、塞ぎ材はカバーの側面部に取り付けてもよく、構造物躯体の側面に取り付けてもよく、カバーの側面部に取り付けたものと構造物躯体の側面に取り付けたものとの両方としてもよい。
【００２５】
塞ぎ材をカバーの側面部に取り付けるものとした場合には、カバーが構造物躯体の先端面に被せられる以前のカバーの側面部に予め塞ぎ材を取り付けておくことが好ましい。
【００２６】
このように塞ぎ材をカバーが構造物躯体の先端面に被せられる以前のカバーの側面部に予め取り付けておくと、構造物躯体の先端面にカバーを取り付ける作業を行うことによりカバーの側面部と構造物躯体の側面との間の隙間に塞ぎ材を自ずと配置できるようになり、この配置作業の容易化を達成できる。
【００２７】
以上の本発明に係る構造物躯体カバーの隙間塞ぎ構造及びその塞ぎ材において、構造物躯体は、例えば、建物の手摺り壁でもよく、腰壁でもよく、パラペットでもよく、建物基礎でもよく、塀でもよく、突堤形状であって、その先端面に笠木等のカバーが被せられるものであれば、任意なものでよい。
【００２８】
また、構造物躯体が建物の手摺り壁や腰壁である場合に、その手摺り壁や腰壁はバルコニを形成するものでもよく、外階段を形成するものでもよく、さらには、建物以外の構築物、例えば、横断歩道橋を形成するものでもよい。
【００２９】
さらに、先端面にカバーが被せられる突堤形状の構造物躯体は、上方に突出するものでもよく、水平方向に突出するものでもよく、これらの方向に対して傾斜した方向に突出するものでもよい。そして、構造物躯体の先端面は、水平面でもよく、鉛直面でもよく、これらの面に対して傾斜した面でもよい。さらに、構造物躯体の先端面は、鋭角又は鈍角の屈曲面でもよく、湾曲面でもよい。
【００３０】
また、カバーの側面部及びこの側面部が対面する構造物躯体の側面は、構造物躯体の長手方向に延びる面でもよく、長手方向と直角等の角度をなす面でもよい。さらに、これらのカバーの側面部と構造物躯体の側面は鉛直面でもよく、鉛直方向に対して傾斜した面でもよい。
【００３１】
また、構造物躯体は木質製でもよく、コンクリート製でもよく、金属製でもよく、これらのうちの少なくとも２つが複合されて形成されたものでもよく、任意な材質のものでよい。
【００３２】
本発明に係る構造物躯体カバーの隙間塞ぎ構造及びその塞ぎ材を適用する場合におけるカバーの側面部と構造物躯体の側面とに間に隙間ができる理由は、任意でよい。
【００３３】
構造物躯体が手摺り壁であって、カバーが笠木である場合には、笠木の側面部と手摺り壁の側面との間に隙間ができる理由は、手摺り壁の上面に手摺り壁の両方の側面から突出する長さのブラケットが固定され、このブラケットを介して笠木が手摺り壁の上面に取り付けられるからであり、上記隙間は、手摺り壁の側面からのブラケットの突出した長さのためにできることになる。
【００３４】
このようなブラケット等の中間部材を介して笠木等のカバーを手摺り壁等の構造物躯体に取り付ける場合には、塞ぎ材はこの中間部材の配置箇所を除いて部分的又は断続的に配置してもよく、中間部材の配置箇所を含めて連続的に配置してもよい。
【００３５】
本発明に係る構造物躯体カバーの隙間塞ぎ構造及びその塞ぎ材は、このようなブラケット等の中間部材を使用しないでカバーを構造物躯体に取り付ける場合にも、もちろん適用できる。
【００３６】
【発明の実施の形態】
以下に本発明の実施形態を図面に基づいて説明する。これから説明するそれぞれの実施形態は、構造物躯体が建物のバルコニ用手摺り壁であって、カバーが、この手摺り壁の先端面である上面に被せられる笠木の場合である。
【００３７】
初めに、この手摺り壁の構造を図１及び図２で説明する。図１はこの手摺り壁１及び笠木１０の内部構造を示す縦断面図であり、図２は、笠木１０等を一部破断して示した手摺り壁１の平面図である。突堤形状の手摺り壁１は、木質製であり、したがって、手摺り壁１は、図２では省略され、手摺り壁１の長手方向両端に配置されている両端柱と、これらの両端柱の間に立設された中柱２と、両端柱と中柱の上端間に架設された上端部材３とで骨組みが形成され、両端柱と中柱２のそれぞれのバルコニ内外方向の両側面には縦胴縁４が固定されている。手摺り壁１の室外側の側面に配置された縦胴縁４及び室内側の側面に配置された縦胴縁４には、それぞれの表面材５が取り付けられ、これらの表面材５は、例えば、サイディングであり、あるいは、タイル付き面材である。なお、手摺り壁１の表面はこれに限らず、例えば、モリタル塗りによる湿式仕上げとしてもよい。
【００３８】
上方へ突出する突堤形状になっている手摺り壁１の先端面である上面には、笠木１０を手摺り壁１に取り付けるためのブラケット６が配置され、このブラケット６は、図２で示されているように、手摺り壁１の長手方向に所定間隔で複数配置されるとともに、図１で示すとおり、上端部材３にビス、釘等による止着具７で固定される。この固定はブラケット６の本体部６Ａで行われ、この本体部６Ａの手摺り壁１の厚さ方向長さは手摺り壁１の厚さ寸法よりも大きく、手摺り壁１の両方の側面１Ａ，１Ｂから突出している本体部６Ａのそれぞれの端部には、上方延出部６Ｂと下方延出部６Ｃが形成されている。
【００３９】
手摺り壁１の全長に亘る笠木１０は、手摺り壁１の上面全部を覆うとともに、バルコニ外側が高くなった水勾配を有する本体部１０Ａと、この本体部１０Ａのバルコニ外側端部、バルコニ内側端部から下方へ延び、手摺り壁１の側面１Ａ、１Ｂと対面する側面部１０Ｂ、１０Ｃと、これらの側面部１０Ｂ、１０Ｃの端部から手摺り壁１側に屈曲した屈曲部１０Ｄ，１０Ｅとからなる。両方の側面部１０Ｂ、１０Ｃを少し開きながら笠木１０を上方から手摺り壁１に被せ、本体部１０Ａをブラケット６の上方延出部６Ｂに載せるとともに、側面部１０Ｂ、１０Ｃをもとの状態に閉じて屈曲部１０Ｄ，１０Ｅをブラケット６の下方延出部６Ｃの下端に係止することにより、笠木１０はブラケット６を介して手摺り壁１に取り付けられる。
【００４０】
なお、笠木１０に図１の想像線で示す手摺り１５が立設される場合には、この手摺り１５の支柱及びこの支柱の内部に挿入される中子は、笠木１０やブラケット６にビス等の止着具で固定される。
【００４１】
笠木１０の側面部１０Ｂ，１０Ｃは手摺り壁１の側面１Ａ，１Ｂと間隔を開けて対面し、側面部１０Ｂ、１０Ｃからの屈曲部１０Ｄ，１０Ｅの屈曲量を含めても、これらの側面部１０Ｂ，１０Ｃと側面１Ａ，１Ｂとの間には、手摺り壁１の両方の側面１Ａ，１Ｂから突出したブラケット６の本体部６Ａの長さ分に対応する隙間Ｓが生じている。
【００４２】
図１には、これらの隙間Ｓに配置された第１実施形態に係る塞ぎ材２０が示され、この塞ぎ材２０は、図２に示されているように、手摺り壁１の長手方向に連続するものになっている。図３には、手摺り壁１の室外側の隙間Ｓに配置された塞ぎ材２０が拡大されて示されている。
【００４３】
図２では、手摺り壁１の室外側の隙間Ｓと室内側の隙間Ｓの両方に塞ぎ材２０が配置されている。塞ぎ材２０は、このように両方の隙間Ｓに配置してもよく、室外側の隙間Ｓだけに配置してよい。これは、図４以降の図面で説明する他の実施形態に係る塞ぎ材についても同じである。
【００４４】
次ぎに、第１実施形態の塞ぎ材２０を図３により説明する。この塞ぎ材２０は、鉛直方向に延びる板状の取付部２１と、取付部２１の下部に笠木１０の側面部１０Ｂ側に突設された箱部２２と、箱部２２の内部に設けられた弁部２３とからなる。箱部２２の下辺部２２Ａには孔２２Ｂが形成されているとともに、上辺部２２Ｃには開口部２２Ｄが形成されている。この開口部２２Ｄは手摺り壁１の長手方向に連続し、孔２２Ｂはこの長手方向に間隔を開けて多数形成されている。
【００４５】
弁部２３は、例えば、ゴム又は軟質合成樹脂等による可撓性の弾性材料で形成されており、また、手摺り壁１の長手方向に連続した長さを有している。弁部２３の上端は箱部２２の内面に結合されており、弁部２３は、通常時には笠木１０の側面部１０Ｂ側へ下向き傾斜している。そして、弁部２３が上端を中心に上向きに回動したときには、弁部２３の厚肉部分が、想像線で示されているとおり、塞ぎ材２０の箱部２２の開口部２２Ｄを閉じるようになっている。
【００４６】
また、塞ぎ材２０の箱部２２の下辺部２２Ａには、笠木１０の側面部１０Ｂ側へ突出した延長部２５が形成されている。
【００４７】
このような形状、構造となっている塞ぎ材２０は、笠木１０が手摺り壁１の上面に被せられる前に、取付部２１が手摺り壁１の側面１Ａにシール部材２６を介してビス等の止着具２７で固定されることにより、手摺り壁１に取り付けられる。この後、笠木１０を前述のようにブラケット６で手摺り壁１に取り付けたときには、延長部２５の位置は、笠木１０の屈曲部１０Ｄに対し、上方へ突出した突堤形状となっている手摺り壁１の突出方向へ離間した位置、すなわち上方へ離間した位置であって、手摺り壁１の厚さ方向には重複した位置となっている。また、このときには、延長部２５を含めた塞ぎ材２０は、笠木１０の側面部１０Ｂとの間に通気部２８を残した位置（ブラケット６が配置されている箇所では、ブラケット６の下方延出部６Ｃとの間にも通気部を残した位置）に配置されている。
【００４８】
以上の第１実施形態の塞ぎ材２０によると、台風等の暴風を伴う雨天時に手摺り壁１の側面１Ａに沿って強風が吹き上がると、塞ぎ材２０の孔２２Ｂから箱部２２内に侵入した強風により弁部２３が上端を中心に上向きに回動し、この結果、弁部２３の厚肉部分で箱部２２の開口部２２Ｄが閉じられる。このため、強風と共に雨水が箱部２２の内部に入っても、雨水が、それ以上に笠木１０の内側に侵入してブラケット６の上面に乗ったり手摺り壁１の表面材５の裏側隙間に侵入したりすることを防止できる。
【００４９】
また、塞ぎ材２０と笠木１０の側面部１０Ｂとの間には通気部２８が設けられているが、この通気部２８の下部には、手摺り壁１の厚さ方向に重複した塞ぎ材２０の延長部２５と笠木１０の屈曲部１０Ｄとが設けられているため、屈曲部１０Ｄの高さ位置における隙間Ｓから通気部２８に至る通気路２９は、これらの重複した塞ぎ材２０の延長部２５と笠木１０の屈曲部１０Ｄとにより、手摺り壁１の厚さ方向に蛇行したものとなっている。このため、暴風と共に雨水がこの通気路２９、通気部２８を通って笠木１０の内側に侵入することはできず、雨水は屈曲部１０Ｄや延長部２５で遮られて下方へ落下することになり、笠木１０の内側へ侵入することはない。
【００５０】
したがって、手摺り壁１の側面１Ａと笠木１０の側面部１０Ｂとの間に隙間Ｓがあっても、この隙間Ｓの防水性を確保することができる。
【００５１】
一方、晴天時には、笠木１０の内側は塞ぎ材２０の開口部２２Ｄと孔２２Ｂ、及び通気部２８と上記通気路２９を介して笠木１０の外部と連通しているため、通気性が確保されている。したがって、晴天時には、手摺り壁１の内部から蒸発する水分等を笠木１０の外部に排出することができ、手摺り壁１等の耐久性を向上させることができる。
【００５２】
次ぎに、本発明の他の実施形態に係る各種塞ぎ材を説明する。これらの塞ぎ材は、前記実施形態の塞ぎ材と同じく、手摺り壁１の長手方向に連続する長さを有する。
【００５３】
図４で示した第２実施形態に係る塞ぎ材３０は、塞ぎ材本体３１と、塞ぎ材本体３１の下端から垂設された垂下部材３２とからなる。塞ぎ材本体３１は、手摺り壁１の側面１Ａにシール部材３６を介して止着具３７で固定された板状の取付部３１Ａと、この取付部３１Ａの下端から笠木１０の側面部１０Ｂ側へ水平に延びる水平延出部３１Ｂとからなるアングル材で形成され、水平延出部３１Ｂの先端に垂下部材３２が垂設されており、この垂下部材３２はゴム又は軟質合成樹脂等による可撓性弾性材料からなる。そして、垂下部材３２の下端と笠木１０の屈曲部１０Ｄとの間には間隔があいている。
【００５４】
また、塞ぎ材本体３１の水平延出部３１Ｂの先端と垂下部材３２の位置は、笠木１０の側面部１０Ｂとの間に通気部３８を残した位置となっている。
【００５５】
この実施形態では、暴風を伴う雨天時に手摺り壁１の側面１Ａに沿って強風が吹き上がると、この強風により垂下部材３２が塞ぎ材本体３１との接続部である上端を中心に笠木１０の側面部１０Ｂ側へ回動する。これにより、垂下部材３２の先端は、ブラケット６が配置されていない箇所では、笠木１０の側面部１０Ｂの内面に接触し、ブラケット６が配置されている箇所では、ブラケット６の下方延出部６Ｃの内面に接触する。この結果、強風と共に雨水が笠木１０の内側に侵入しようとしても、この侵入は、このように回動する垂下部材３２、及び笠木１０の側面部１０Ｂと手摺り壁１の側面１Ａとの間の隙間Ｓに配置されている塞ぎ材本体３１の水平延出部３１Ｂにより、阻止されることになり、隙間Ｓの防水性が確保される。
【００５６】
一方、晴天時には、笠木１０の内外は上記通気部３８を介して連通しているため、第１実施形態と同じく、通気性は確保される。
【００５７】
図５には、第３実施形態に係る塞ぎ材４０が示されている。この塞ぎ材４０は、手摺り壁１の側面１Ａにシール部材４６を介して止着具４７で固定された板状の取付部４０Ａと、この取付部４０Ａの下端から笠木１０の側面部１０Ｂ側へ水平に延びる水平延出部４０Ｂとからなるアングル材で形成され、水平延出部４０Ｂの先端の位置は、笠木１０の側面部１０Ｂとの間に通気部４８を残した位置（ブラケット６が配置されている箇所では、ブラケット６の下方延出部６Ｃとの間にも通気部を残した位置）となっている。
【００５８】
また、水平延出部４０Ｂは、笠木１０の屈曲部１０Ｄに対し、手摺り壁１の突出方向である上方に僅かに離間していて手摺り壁１の厚さ方向には重複している。このため、屈曲部１０Ｄの高さ位置における隙間Ｓから通気部４８に至る通気路４９は、手摺り壁１の厚さ方向に蛇行したものとなっている。
【００５９】
暴風を伴う雨天時において、手摺り壁１の側面１Ａに沿って雨水が強風と共に吹き上がった場合には、この雨水は、笠木１０の側面部１０Ｂと手摺り壁１の側面１Ａとの間の隙間Ｓに配置されている塞ぎ材４０の水平延出部４０Ｂで遮断され、また、通気部４８に至る上記通気路４９は手摺り壁１の厚さ方向に蛇行しているため、この通気路４９と通気部４８を通って雨水が笠木１０の内側に侵入することも阻止され、防水性が確保される。
【００６０】
そして、晴天時には、笠木１０の内外は通気部４８と通気路４９を介して連通していることから、通気性は確保される。
【００６１】
図６は、第４実施形態に係る塞ぎ材５０を示す。この塞ぎ材５０は発泡樹脂やスポンジ等による弾性力を有する多孔質体で形成され、したがって、塞ぎ材５０はそれ自身で通気性を有する。塞ぎ材５０は、笠木１０が手摺り壁１の上面に被せられる前に笠木１０の側面部１０Ｂの内面に接着剤等で取り付けられる。また、塞ぎ材５０における手摺り壁１の厚さ方向の自然寸法は、笠木１０の側面部１０Ｂの内面から手摺り壁１の側面１Ａまでの寸法よりも大き目に設定されている。このため、笠木１０を手摺り壁１に上方から被せてブラケット６で手摺り壁１に取り付けると、ブラケット６が配置されていない箇所では、塞ぎ材５０の手摺り壁１側の端部が手摺り壁１の側面１Ａの弾性接触して塞ぎ材５０は少し圧縮変形し、ブラケット６が配置されている箇所では、塞ぎ材５０はブラケット６の下方延出部６Ｃの外面に押圧されることにより大きく圧縮変形する。
【００６２】
暴風を伴う雨天時に雨水が手摺り壁１の側面１Ａに沿って吹き上がると、ブラケット６が配置されていない箇所では、笠木１０の側面部１０Ｂと手摺り壁１の側面１Ａとの間の隙間Ｓは塞ぎ材５０で塞がれているため、雨水がブラケット６よりも高位置に達することはなく、ブラケット６が配置されている箇所では、雨水はブラケット６の下方延出部６Ｃの内側に入るが、その上は手摺り壁１の側面１Ａから突出したブラケット６の本体６Ａで遮断された状態となっているため、この箇所でも雨水がブラケット６よりも高位置に達することはない。したがって、笠木１０の側面部１０Ｂと手摺り壁１の側面１Ａとの間の隙間Ｓのうち、ブラケット６の本体６Ａよりも高位置についての防水性は確保される。
【００６３】
一方、晴天時には、塞ぎ材５０自身が通気性を有する多孔質体で形成されているため、塞ぎ材５０よりも上側空間での笠木１０の内側と笠木１０の外側との間の通気性は確保される。
【００６４】
また、この実施形態によると、塞ぎ材５０は笠木１０が手摺り壁１に取り付けられる以前に予め笠木１０の側面部１０Ｂの内面に固定されるため、笠木１０を手摺り壁１にブラケット６を介して取り付ける作業を行うことにより、塞ぎ材５０は自ずと所定位置に配置されることになり、塞ぎ材５０のこの配置作業を容易に行える。
【００６５】
図７及び図８には、第５実施形態に係る塞ぎ材６０が示されている。この塞ぎ材６０は、手摺り壁１の側面１Ａにシール部材６６を介して止着具６７で固定される板状の取付部６１と、取付部６１の下端から笠木１０の側面部１０Ｂ側へ突出する突出部６２とからなり、突出部６２はゴム又は軟質合成樹脂等による弾性材料で形成されている。
【００６６】
図７は、笠木１０の側面部１０Ｂと手摺り壁１の側面１Ａとの間隔が大きい寸法Ｌ１となっている場合を示す。この場合には、突出部６２の先端は笠木１０の側面部１０Ｂまで届かず、ブラケット６の下方延出部６Ｃに届く程度である。
【００６７】
図７において、笠木１０の側面部１０Ｂと手摺り壁１の側面１Ａとの間隔方向における隙間Ｓの大部分は、塞ぎ材６０の突出部６２で塞がれ、かつ、笠木１０の屈曲部１０Ｄから上方に離間しているこの突出部６２は、屈曲部１０Ｄと手摺り壁１の厚さ方向には重複しているため、雨水が手摺り壁１の側面１Ａに沿って吹き上がっても、屈曲部１０Ｄよりも手摺り壁１側の位置で側面１Ａに沿って吹き上がることになるこの雨水は、突出部６２よりも高位置に上がることを阻止される。このため、突出部６２よりも高位置についての隙間Ｓの防水性は確保される。
【００６８】
一方、晴天時には、塞ぎ材６０の突出部６２の先端が届いていない笠木１０の側面部１０Ｂの内側には通気部６８が残されているため、この通気部６８により笠木１０の内外の通気性は確保される。
【００６９】
図８は、笠木１０の側面部１０Ｂと手摺り壁１の側面１Ａとの間隔が小さい寸法Ｌ２となっている場合である。この場合には、突出部６２の先端は笠木１０の側面部１０まで届き、ブラケット６が配置された箇所では、突出部６２はブラケット６の下方延出部６Ｃに当たって下方へ撓み変形している。
【００７０】
図８の場合には、雨天時に雨水が手摺り壁１の側面１Ａに沿って吹きあがっても、この雨水は塞ぎ材６０の突出部６２で遮断され、それ以上に上がるのを阻止される。このため、突出部６２よりも高位置についての隙間Ｓの防水性は確保される。
【００７１】
晴天時には、塞ぎ材６０の弾性材料で形成された突出部６２はブラケット６の下方延出部６Ｃに弾性接触しているだけであって、この下方延出部６Ｃの幅方向（図８の表裏方向）両側には、突出部６２と下方延出部６Ｃと笠木１０の側面部１０Ｂとの間で通気部６８'ができているため、この通気部６８'により笠木１０の内外の通気性が確保される。
【００７２】
そして、この第５実施形態の塞ぎ材６０によると、突出部６２は弾性材料で形成されているため、笠木１０の側面部１０Ｂと手摺り壁１の側面１Ａとの間隔が異なる各種タイプの手摺り壁に共通して使用できるという効果を得られる。
【００７３】
図９は、第６実施形態に係る塞ぎ材７０，８０を示す。これらの塞ぎ材７０，８０のうち、塞ぎ材７０はゴム又は軟質合成樹脂等による弾性材料で形成され、塞ぎ材８０は、塞ぎ材７０と同じ材料又は硬質合成樹脂等の硬質材料で形成されている。また、塞ぎ材７０は、手摺り壁１の上面に被せられる以前の笠木１０の側面部１０Ｂの内面に予め取り付けられ、塞ぎ材８０は、手摺り壁１の側面１Ａに取り付けられている。
【００７４】
笠木１０をブラケット６を介して手摺り壁１の上面に取り付けたときには、塞ぎ材７０は、ブラケット６が配置されていない箇所では、手摺り壁１の側面１Ａと通気部７８を残して対面し、ブラケット６が配置されている箇所では、ブラケット６の下方延出部６Ｃで大きく圧縮変形される。また、塞ぎ材７０よりも低い位置にある塞ぎ材８０は、ブラケット６が配置されていない箇所では、笠木１０の側面部１０Ｂと通気部８８を残して対面し、ブラケット６が配置されている箇所では、ブラケット６の下方延出部６Ｃと接触し又は下方延出部６Ｃから僅かに離間している。また、手摺り壁１の突出方向である手摺り壁１の高さ方向に離間しているこれらの塞ぎ材７０と８０は、ブラケット６が配置されていない箇所では、手摺り壁１の厚さ方向に重複している。
【００７５】
このため、手摺り壁１の側面１Ａに沿って雨水が吹き上がった場合、ブラケット６が配置されていない箇所では、雨水は塞ぎ材７０と８０によりこれらの塞ぎ材７０，８０の配置高さ以上に上がるのを阻止され、ブラケット６が配置されている箇所では、塞ぎ材８０で阻止されるとともに、たとえこの塞ぎ材８０の配置高さ以上に上がっても、手摺り壁１の側面１Ａから突出しているブラケット６の本体６Ａにより、ブラケット６よりも高位置まで上がるのを阻止される。このため、防水性を確保することができる。
【００７６】
一方、晴天時には、上記通気部７８と８８により笠木１０の内外の通気性は確保される。
【００７７】
図１０〜図１２は、第７実施形態に係る塞ぎ材９０を示す。この塞ぎ材９０はスポンジ等の弾性を有する多孔質体で形成されているとともに、図１０で示すとおり、笠木１０が手摺り壁１の上面に取り付けられる以前に、笠木１０の本体部１０Ａと側面部１０Ｂとで形成される屈曲部の内面に両面テープ又は接着剤等で固定されている。図１１及び図１２は笠木１０をブラケット６を介して手摺り壁１の上面に取り付けたときを示し、図１１は、ブラケット６が配置された箇所での手摺り壁１と笠木１０の縦断面図で、図１２は、ブラケット６が配置されていない箇所での手摺り壁１と笠木１０の縦断面図である。
【００７８】
この実施形態では、笠木１０をブラケット６を介して手摺り壁１の上面に取り付ける作業は、塞ぎ材９０をブラケット６の上方延出部６Ｂで圧縮変形させながら行われる。この取付作業後、塞ぎ材９０の手摺り壁１側の下角部近辺は、図１２で示すブラケット６が配置されていない箇所については、手摺り壁１の側面１Ａと上面に弾性接触し、図１１で示すブラケット６が配置されている箇所については、ブラケット６の上方延出部６Ｂから外れた手摺り壁１の上面に弾性接触する。
【００７９】
暴風を伴う雨天時に雨水が手摺り壁１の側面１Ａに沿って吹き上がると、ブラケット６が配置されていない箇所では、前記隙間Ｓのうちの手摺り壁１の上面近くの上部が塞ぎ材９０で塞がれているため、手摺り壁１の上面まで雨水が侵入することはなく、また、ブラケット６が配置されている箇所では、手摺り壁１の側面１Ａからブラケット６の本体６Ａが突出しているため、この本体６Ａで雨水が手摺り壁１の上面まで達することが阻止され、防水性が確保される。
【００８０】
一方、晴天時には、塞ぎ材９０は多孔質体からなり、それ自身で通気性を有するため、塞ぎ材９０が笠木１０の内部に設けられていても、笠木１０の内外の通気性は確保される。
【００８１】
以上説明した実施形態は、図１３で示す笠木１０のバルコニ内外方向における側面部１０Ｂ、１０Ｃについてであったが、前記各実施形態は、手摺り壁１に掘り込み部１Ｃがある場合などのように、笠木１０に手摺り壁１の長手方向と角度をなす側面部１０Ｆがある場合には、この側面部１０Ｆにも適用できる。
【００８２】
【発明の効果】
本発明によると、笠木等のカバーと、このカバーが被せられる手摺り壁等の構造物躯体との間の隙間を通気性を確保して塞ぐことができ、この隙間に求められる防水性と通気性の両方を満足できるようになる。
【図面の簡単な説明】
【図１】本発明の第１実施形態に係る塞ぎ材が適用された構造物躯体である手摺り壁及びカバーである笠木を示す縦断面図である。
【図２】笠木等を一部破断して示した図１の手摺り壁の平面図である。
【図３】第１実施形態の塞ぎ材の配置部分を示す図１の一部拡大図である。
【図４】第２実施形態の塞ぎ材を示す図３と同様の図である。
【図５】第３実施形態の塞ぎ材を示す図３と同様の図である。
【図６】第４実施形態の塞ぎ材を示す図３と同様の図である。
【図７】第５実施形態の塞ぎ材を示す図３と同様の図である。
【図８】第５実施形態の塞ぎ材について、手摺り壁の側面と笠木の側面部との間隔が図７とは異なる場合を示す図３と同様の図である。
【図９】第６実施形態の塞ぎ材を示す図３と同様の図である。
【図１０】第７実施形態の塞ぎ材を示す図で、構造物躯体である手摺り壁の上面に取り付けられる前のカバーである笠木の要部を示す縦断面図である。
【図１１】第７実施形態の塞ぎ材を示す図３と同様の図である。
【図１２】第７実施形態の塞ぎ材について、図１１とは手摺り壁の長手方向に異なる箇所で示した縦断面図である。
【図１３】手摺り壁に形成される掘り込み部の部分を示す斜視図である。
【符号の説明】
１  構造物躯体である手摺り壁
１Ａ，１Ｂ，  側面
６  ブラケット
１０  カバーである笠木
１０Ｂ，１０Ｃ，１０Ｆ  側面部
１０Ｄ，１０Ｅ  屈曲部
２０，３０，４０、５０，６０，７０，８０，９０  塞ぎ材
２８，３８，４８，６８，６８'，７８，８８  通気部
２９，４９  通気路
Ｓ  隙間
【図１】
0004447097.tif 000002
【図２】
0004447097.tif 000003
【図３】
0004447097.tif 000004
【図４】
0004447097.tif 000005
【図５】
0004447097.tif 000006
【図６】
0004447097.tif 000007
【図７】
0004447097.tif 000008
【図８】
0004447097.tif 000009
【図９】
0004447097.tif 000010
【図１０】
0004447097.tif 000011
【図１１】
0004447097.tif 000012
【図１２】
0004447097.tif 000013
【図１３】
0004447097.tif 000014